(57)【要約】  ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、を備える浴室乾燥機であって、前記循環風路の前記加熱部の上流側底板に、前記循環風路を流れる風を一旦縮流させて巻込ませ、前記加熱部方向に向ける抵抗体を設けた。
2012127664.tif 000002
【特許請求の範囲】
【請求項１】
ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、
排気口が設けられた換気風路を有し、前記循環ユニットの換気接続口に接続された換気ユニットと、
を備える浴室乾燥機であって、
前記循環風路の前記加熱部の上流側底板に、前記循環風路を流れる風を一旦縮流させて巻込ませ、前記加熱部方向に向ける抵抗体を設けたことを特徴とする浴室乾燥機。
【請求項２】
前記抵抗体は、前記ダンパーが前記換気接続口を開けて前記循環風路の下流側を閉じたとき、前記ダンパーに覆われることを特徴とする請求項１に記載の浴室乾燥機。
【請求項３】
前記抵抗体は、前記底板上に設置され前記循環風路を横断する抵抗板であることを特徴とする請求項１に記載の浴室乾燥機。
【請求項４】
前記抵抗体は、前記底板に形成された階段状凹凸部であることを特徴とする請求項１に記載の浴室乾燥機。
【請求項５】
前記加熱部が配置された前記循環風路の下流側を、前記底板と分離されて前記循環ユニットに着脱可能な加熱部ケースにより構成したことを特徴とする請求項１に記載の浴室乾燥機。
【発明の詳細な説明】
【技術分野】
【０００１】
本発明は、浴室の天井若しくは側壁上部に設置され、浴室を換気、乾燥、暖房する浴室乾燥機に関する。
【背景技術】
【０００２】
従来、浴室の空気を換気、乾燥、暖房する浴室乾燥機に関しては、多くの提案がなされている。また、浴室乾燥機の風路構成と風路の圧力損失低減及び騒音低減のためのいくつかの提案がなされている。【０００３】
例えば、特許文献１に記載されている送風装置は、室内の空気を吸気する吸気口と、該吸気口より吸気された空気を排出する排出口と、前記吸気口を介して前記空気を吸入するファンと、該ファンにより吸入された前記空気を、前記排出口へ導くダンパーと、前記ファンを収納するファン収納部と前記ファンより前記空気の送風が行われる送風部とを有する本体ケースとを備え、前記本体ケースには、前記ファン収納部と前記送風部との境界を形成する舌状壁部が形成され、該舌状壁部の前記送風部側の側壁は凹状湾曲面により構成されている。【０００４】
ファン収納部と送風部の境界を形成する舌状壁部の送風部側の側壁を凹状湾曲面に形成することにより、送風部に流れ込んでくる空気を螺旋状に旋回させて排出口へと導き、送風部の空気の滞留を防止し、排出口へ向かう空気の均一化を図り、空気の密度差に起因する騒音を低減させている。また、旋回する空気の流れにより、排出口から排出される空気をヒータ等で加熱する場合には、ヒータを通る空気を均一化することができ、ヒータで暖められる空気の温度ムラを低減させることが可能である。【０００５】
また、凹状湾曲面が、本体ケースの上面側より下側に進むに従って曲率が大きくなる曲面によって形成されているので、風速の速い空気は曲率の小さな曲面により小さな回転半径で旋回し、風速の遅い空気は曲率の大きな曲面により大きな回転半径で旋回する流れを形成することができ、螺旋状の空気の流れを積極的に作ることが可能である。また、凹状湾曲壁面に対向する対向側壁を、凹状湾曲面に対応する曲面により構成し、凹状湾曲面と対向側壁により、すり鉢状の湾状凹所を形成して、より一層螺旋状の流れを発生させ易くしている。
【先行技術文献】
【特許文献】
【０００６】
【特許文献１】特開２００７−２０５６４２号公報
【発明の概要】
【発明が解決しようとする課題】
【０００７】
しかしながら、特許文献１に記載されている送風装置は、ヒータを通過する空気を均一化するために、旋回する流れを排出口へ導く必要性があり、排出口を円形又は正方形に形成する必要がある。正方形又は円形の排出口を設けるために、送風装置の小形化が難しい、という問題がある。送風装置を小形化するために、排出口を、例えば、長方形とし、送風装置の長手方向の長さを短くすると、旋回流を発生させたときに、長方形の排出口及び長方形のヒータを通過する空気の風速分布の均一化が難しくなる。【０００８】
本発明は、上記に鑑みてなされたものであり、小形でありながら加熱部を通過する空気の流れを均一化して加熱部から吹出される空気の温度分布を均一化することができると共に、風路の圧力損失と騒音を低減させることができる浴室乾燥機を得ることを目的とする。
【課題を解決するための手段】
【０００９】
上述した課題を解決し、目的を達成するために、本発明は、ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、を備える浴室乾燥機であって、前記循環風路の前記加熱部の上流側底板に、前記循環風路を流れる風を一旦縮流させて巻込ませ、前記加熱部方向に向ける抵抗体を設けたことを特徴とする。
【発明の効果】
【００１０】
本発明の浴室乾燥機は、小形でありながら加熱部を通過する空気の流れを均一化して加熱部から吹出される空気の温度分布を均一化することができると共に、風路の圧力損失と騒音を低減させることができる。
【図面の簡単な説明】
【００１１】
【図１】図１は、本発明に係る浴室乾燥機の実施の形態１を示す断面図である。
【図２】図２は、ダンパーの回転位置を換気位置としたときの循環風路の下流側を示す断面図である。
【図３】図３は、ダンパーの回転位置を乾燥、涼風位置としたときの循環風路の下流側を示す断面図である。
【図４】図４は、ダンパーの回転位置を風乾燥位置としたときの循環風路の下流側を示す断面図である。
【図５】図５は、ダンパーの回転位置を暖房位置としたときの循環風路の下流側を示す断面図である。
【図６】図６は、実施の形態１のダンパーの駆動部を示す断面図である。
【図７】図７は、抵抗体を設置しなかった場合の循環風路の下流側の空気の流れを示す断面図である。
【図８】図８は、抵抗体を設置した場合の循環風路の下流側の空気の流れを示す断面図である。
【図９】図９は、抵抗体を設置しない場合と設置した場合の暖房運転時の送風性能の差を示す図である。
【図１０】図１０は、本発明に係る浴室乾燥機の実施の形態２を示す循環風路の下流側の断面図である。
【図１１】図１１は、本発明に係る浴室乾燥機の実施の形態３を示す断面図である。
【発明を実施するための形態】
【００１２】
実施の形態の浴室乾燥機は、換気、乾燥、涼風、風乾燥及び暖房の５つの運転モードを有し、リモートコントローラにより運転モードを切替えることができる。換気運転では、循環送風機を運転して浴室の空気を外部へ排気する。
【００１３】
乾燥運転では、循環送風機を運転して浴室から吸込んだ空気を、ダンパーにより循環側と換気側に分流し、循環側に分流された空気を、加熱部で加熱して浴室内に温風送風すると共に、換気側に分流された浴室の空気を外部へ排気して浴室内の乾燥を行う。このとき、換気風量よりも循環風量の方が多くなるように、ダンパーの開度を調整する。
【００１４】
涼風運転では、循環送風機を運転して浴室から吸込んだ空気を、ダンパーにより循環側と換気側に分流し、循環側に分流された空気を浴室内に送風すると共に、換気側に分流された浴室の空気を外部へ排気して排熱を行う。涼風運転では、加熱部での加熱を行わず、循環空気は、常温のまま浴室内へ送風される。このとき、換気風量よりも循環風量の方が多くなるように、ダンパーの開度を調整する。
【００１５】
風乾燥運転では、循環送風機を運転して浴室から吸込んだ空気を、ダンパーにより循環側と換気側に分流し、循環側に分流された空気を浴室内に送風すると共に、換気側に分流された浴室の空気を外部へ排気して浴室の乾燥を行う。このとき、循環風量よりも換気風量の方が多くなるように、ダンパーの開度を調整する。風乾燥運転は、乾燥運転とは異なり、温風を用いずに送風と換気で浴室の乾燥を行う。通常の乾燥運転に比べ乾燥時間はかかるが、省エネルギーである。
【００１６】
暖房運転では、循環送風機を運転して浴室から吸込んだ空気を、ダンパーにより循環側に流し、加熱部で加熱して浴室内へ送風し暖房を行う。暖房時は、換気機能は停止する。
【００１７】
上記の５つの運転モードで運転するためには、循環風路内に風路を４つ形成する必要があり、ダンパーとしての回転ダンパーの回転（搖動）位置により、各風路を形成するようにした。各運転モードにおける回転ダンパーの回転位置、風路形成については、実施の形態の説明で詳細を説明する。
【００１８】
以下に、本発明に係る浴室乾燥機の実施の形態を図面に基づいて詳細に説明する。なお、この実施の形態によりこの発明が限定されるものではない。
【００１９】
実施の形態１．
図１は、本発明に係る浴室乾燥機の実施の形態１を示す断面図であり、図２は、ダンパーの回転位置を換気位置としたときの循環風路の下流側を示す断面図であり、図３は、ダンパーの回転位置を乾燥、涼風位置としたときの循環風路の下流側を示す断面図であり、図４は、ダンパーの回転位置を風乾燥位置としたときの循環風路の下流側を示す断面図であり、図５は、ダンパーの回転位置を暖房位置としたときの循環風路の下流側を示す断面図であり、図６は、実施の形態１のダンパーの駆動部を示す断面図であり、図７は、抵抗体を設置しなかった場合の循環風路の下流側の空気の流れを示す断面図であり、図８は、抵抗体を設置した場合の循環風路の下流側の空気の流れを示す断面図である。
【００２０】
図１に示すように、実施の形態１の浴室乾燥機９１は、ハウジング１６Ａ内に形成された、浴室の換気、乾燥、暖房を行うための循環風路２ａと、浴室の換気を行なうための排気ダクト接続部材２２に形成された換気風路２ｂと、を有している。換気ユニットとしての排気ダクト接続部材２２は、循環風路２ａの換気接続口９に接続されている。
【００２１】
循環風路２ａは、ハウジング１６Ａと循環オリフィス（底板）１７により形成され、下向きに浴室空気の循環吸込口４及び循環吹出口（吹出しガイドグリル）８が設けられ、下流側に上向きに換気接続口９が設けられ、内部上流側にモータＭ１により駆動される循環送風機５が配置され、内部下流側に回転ダンパー６及び加熱部７が配置されている。循環送風機５、回転ダンパー６及び加熱部７を備えた循環風路２ａを循環ユニット９１Ａと呼ぶ。
【００２２】
換気ユニットとしての排気ダクト接続部材２２は、排気方向が側方（図１の右方向）となるように換気風路２ｂが形成され、横向きに排気口２１が開口している。排気口２１に排気ダクトを接続すれば、浴室の換気を行うことができる。
【００２３】
循環吸込口４の上流側には、空気中の埃を取除くフィルター２０が配置されている。浴室乾燥機９１の下側は、意匠パネル１４で覆われている。モータＭ１の上側には、制御部１５及び電源接続部（図示せず）が配置されている。制御部１５には、通信線を介してリモートコントローラ（図示せず）が接続され、リモートコントローラは、制御部１５に対して運転指令を出力する。
【００２４】
換気接続口９は、ハウジング１６Ａの天板に設けられていて、循環風路２ａから換気接続口９を通して換気風路２ｂに空気が流れるようになっている。循環風路２ａは、ハウジング１６Ａ及び循環オリフィス（底板）１７により形成され、循環吸込口４及び換気接続口９が下向きに開口する箱状に形成されている。換気接続口９は、回転ダンパー６が開くと、換気風路２ｂに連通する。ハウジング１６Ａには、駆動モータＭ１の回転軸を通すための軸通し孔（図示せず）が設けられている。また、ハウジング１６Ａの側板には、加熱部７及び回転ダンパー６を保持する保持部材を挿入するための挿入口が設けられている。
【００２５】
循環送風機５は、片吸込式のシロッコファン送風機であり、循環吸込口４に対向するように、循環風路２ａの上流側に配置されている。循環送風機５から吹出された空気は、回転ダンパー６により、加熱部７から循環吹出口８へ流れる循環風路２ａの下流側と、換気接続口９を通る換気風路２ｂとに分流される。モータＭ１は、循環風路２ａの上側に設置されている。
【００２６】
加熱部７は、例えば、複数の発熱体を間隔をあけて配置したり、発熱体に複数の放熱フィンを設けたりして、発熱体又は放熱フィンの周囲に風路を形成し、該風路に空気を通して放熱するようにした電気ヒータや、周囲に電気絶縁体及び熱伝導体が配置された発熱体を、金属パイプの中に収めた電気ヒータ等により構成される。
【００２７】
加熱部７は、循環風路２ａの最下流に配置されている。加熱部７の過加熱を抑えるために、ＰＴＣ（Positive  Temperature  Coefficient；自己温度制御性）ヒータを用いるのがよい。ＰＴＣヒータは、所定の温度（キュリー温度）になると急激に抵抗値が上昇するＰＴＣ素子を発熱体として用いているため、自己温度制御機能を有しており、安全性に優れていると共に、温度制御が不要で低コストである。
【００２８】
循環吹出口（吹出しガイドグリル）８は、並列配置された羽板を有し、吹出空気を一定の方向に向けることができる。なお、羽板に回転軸を設け、調節手段により向きを調節して風向を調節してもよい。
【００２９】
回転ダンパー６は、循環風路２ａ内の循環送風機５と加熱部７との間の換気接続口９の下側に配置され、先端部が平らで中間部から基端部が湾曲した板状に形成されている。図６に示すように、回転ダンパー６は、基端部に設けられたダンパー回転軸２３回りに回動する。扇状歯車２４が、回転ダンパー６のダンパー回転軸２３及び側部に固定されており、扇状歯車２４を回動させることにより、回転ダンパー６を回動させることができる。
【００３０】
回転ダンパー６は、扇状歯車２４と小歯車２５を組合わせた減速機により駆動される。小歯車２５を、例えば、ステッピングモータのような駆動手段により回転させ、扇状歯車２４を介して回転ダンパー６を回動、位置決めし、循環風路２ａ及び／又は換気風路２ｂの一部を構成する。
【００３１】
回転ダンパー６は、時計回りには、ハウジング１６Ａの天板に接触して換気接続口９を閉じる位置まで、また、反時計回りには、循環オリフィス（底板）１７に接触して循環風路２ａの下流側を閉じ、循環風路２ａの上流側を換気接続口９に連通させる位置まで回動可能であり、回動可能な角度範囲（約３０°）を有している。
【００３２】
回転ダンパー６の回動位置決めは、回転ダンパー６を、時計回り若しくは反時計周りに可動角度範囲以上回動させ、回動が止まる図５若しくは図２に示す位置まで回動させて始点を決めた後、図３若しくは図４に示す、循環風路２ａの上流側を循環風路２ａの下流側及び換気接続口９の両方に連通させる位置まで、回転ダンパー６を回動させる位置決め制御により行う。
【００３３】
実施の形態１の浴室乾燥機９１は、回転ダンパー６を基端部に設けられたダンパー回転軸２３による片側支持とし、回動角度を小さくすることにより、循環風路２ａの高さを抑えることができ、浴室乾燥機９１をコンパクト化、軽量化することができる。また、回転角度範囲の中間位置で位置決め、保持することができ、循環風量と換気風量を調節することができる。
【００３４】
意匠パネル１４は、ハウジング１６Ａの浴室内露出部を覆うように、ハウジング１６Ａ又は天井に取付けられる。意匠パネル１４は、フラットに形成されていて、天井面及び循環ユニット９１Ａの下側外縁部と、意匠パネル１４の外周上向き側壁との間に間隙を開けて取付け、意匠パネル１４全周に亘る間隙から浴室空気を吸込む。意匠パネル１４を平板状に形成することにより、意匠パネル表面の清掃がし易い。
【００３５】
制御部１５は、所定の制御プログラムが格納された記憶素子を備え、リモートコントローラから入力された運転指令に応じて、循環送風機５、加熱部７及び回転ダンパー６を夫々個別に制御し、浴室乾燥機９１に換気運転、乾燥運転等を行わせる。
【００３６】
抵抗体４０としての抵抗板は、長方形の板状に形成され、循環オリフィス（底板）１７上に設置され、循環風路２ａを横断している。抵抗体（抵抗板）４０は、循環風路２ａの下流側に設けられた堰のようなものである。循環風路２ａを流れる風を、抵抗板４０により一旦縮流させ、下流側へ巻込ませ、加熱部７方向に向けることにより、加熱部７を通る空気の均一性を向上させる。また、図２に示すように、抵抗体（抵抗板）４０は、回転ダンパー６が換気位置になり、循環風路２ａの下流側を閉じたときは、回転ダンパー６に覆われるので、換気風路２ｂへ向かう空気の流れには、影響を与えない。
【００３７】
次に、図２〜図５を参照して、実施の形態１の浴室乾燥機９１の換気運転、乾燥運転、涼風運転、風乾燥運転及び暖房運転について説明する。図２に示すように、換気運転では、回転ダンパー６の先端が循環オリフィス（底板）１７に接触する位置まで反時計回りに回動し、位置決めされ、循環風路２ａの加熱部７側（下流側）が塞がれ、換気接続口９を通して換気風路２ｂへ循環風路２ａが繋がる。
【００３８】
その結果、浴室乾燥機９１が設置されている浴室の空気は、循環吸込口４を通って換気風路２ｂ内を流れ、排気口２１から外部へ排気され、浴室が換気される。このとき、抵抗体４０は回転ダンパー６に覆われ、空気は回転ダンパー６の上を流れるので、抵抗体（抵抗板）４０は、換気風路２ａの空気の流れに影響を与えない。
【００３９】
乾燥運転では、図３に示すように、回転ダンパー６の先端は、ハウジング１６Ａの天板にも循環オリフィス（底板）１７にも接触せず、ハウジング１６Ａの天板と循環オリフィス（底板）１７の中間位置からハウジング１６Ａの天板に近い位置に位置決めされる。それ故、換気接続口９から換気風路２ｂ、加熱部７が配置された循環風路２ａの下流側、の両方の風路へ空気が流入可能となる。同時に、加熱部７は通電される。
【００４０】
乾燥運転では、循環送風機５から吹出されて循環風路２ａに流入した浴室空気は、加熱部７を通って、循環吹出口８から浴室内に吹出されると共に、一部が、換気接続口９を通って換気風路２ｂへ流入し、排気口２１から外部へ排気される。乾燥運転では、浴室内へ温風を吹出しながら換気を行なって、浴室や衣類を乾燥することができ、浴室乾燥機９１を温風乾燥機として機能させることができる。
【００４１】
涼風運転では、図３に示すように、回転ダンパー６の先端は、ハウジング１６Ａの天板にも循環オリフィス（底板）１７にも接触せず、ハウジング１６Ａの天板と循環オリフィス（底板）１７の中間位置からハウジング１６Ａの天板に近い位置に位置決めされる。その結果、換気接続口９から換気風路２ｂ、加熱部７が配置された循環風路２ａの下流、の両方の風路へ空気が流入可能となる。同時に、循環送風機５が運転開始され、乾燥運転と異なり、加熱部７は通電されない。
【００４２】
涼風運転では、循環送風機５から吹出されて循環風路２ａに流入した浴室空気は、循環吹出口８から浴室内に吹出されると共に、一部が換気接続口９から換気風路２ｂへ流入し、排気口２１から外部へ排気される。涼風運転では、浴室内へ送風しながら換気を行い、浴室の排熱を行うことができる。
【００４３】
風乾燥運転では、図４に示すように、回転ダンパー６の先端は、ハウジング１６Ａの天板にも循環オリフィス（底板）１７にも接触せず、ハウジング１６Ａの天板と循環オリフィス（底板）１７の中間位置から循環オリフィス（底板）１７に近い位置に位置決めされる。それ故、換気接続口９から換気風路２ｂ、加熱部７が配置された循環風路２ａの下流、の両方の風路へ空気が流入可能となる。同時に、循環送風機５が運転開始され、乾燥運転と異なり、加熱部７は通電されない。
【００４４】
風乾燥運転では、循環送風機５から循環風路２ａに流入した浴室内空気は、加熱部７を通って循環吹出口８から浴室内に吹出されると共に、一部が換気接続口９から換気風路２ｂへ流入し、排気口２１から外部へ排気される。風乾燥運転では、乾燥運転とは異なり、加熱部７は通電されないので、浴室内空気温度のまま、浴室内へ空気が吹出される。浴室に常温の風を送風すると共に、換気を行って浴室や衣類を乾燥する。風乾燥運転は、乾燥運転に比べて乾燥速度は遅いが、加熱部７は通電されないので、小さな消費電力で浴室内の乾燥を行うことができる。
【００４５】
暖房運転では、図５に示すように、回転ダンパー６を、ハウジング１６Ａの天板に接触する位置まで回動させて換気接続口９を塞ぎ、循環吹出口８へ続く循環風路２ａの下流のみに空気が流入可能となる。同時に、循環送風機５が運転開始され、加熱部７は通電される。
【００４６】
暖房運転では、循環送風機５から吹出されて循環風路２ａに流入した浴室空気は、加熱部７を通って浴室内に吹出される。加熱部７を通る空気は加熱され、温風として浴室内へ吹出され、浴室内の暖房を行うことができる。
【００４７】
次に、実施の形態１の浴室乾燥機９１の吸込空気の流れについて説明する。図１に示すように、意匠パネル１４は、天井及び循環ユニット９１Ａの下側外縁部との間に間隙３０を有して循環ユニット９１Ａの下面を覆うように配置されており、浴室の空気は、循環送風機５に吸引され、間隙３０から、意匠パネル１４と循環オリフィス（底板）１７との間の隙間空間３３に流入する。
【００４８】
隙間空間３３に流入した浴室の空気は、循環吸込口４から循環送風機５に吸込まれて循環風路２ａ内へ吹出され、各運転モードにおける回転ダンパー６の回動位置により、循環風路２ａの下流及び／又は換気風路２ｂへ流入する。間隙３０は、意匠パネル１４の全周に亘って設けられており、全周から浴室の空気を吸込むことができる。そのため、意匠パネル１４の背面及び底板１７を風の流れによって乾燥させ、意匠パネル１４背面及び底板１７のカビの発生を防ぐことができる。
【００４９】
次に、乾燥運転時、涼風運転時、風乾燥運転時及び暖房運転時の誘引流について説明する。循環送風機５から吹出された空気は、加熱部７を通過するときに速度を上げ、吹出しガイドグリル８を通って浴室内へ送風される。このとき発生する誘引流は、間隙３０から吸込まれ、意匠パネル１４と循環オリフィス（底板）１７との間の隙間空間３３へ流入し、誘引流開口３１から吹出しガイドグリル８の風路内に流入し、加熱部７を通ってきた空気とともに浴室内へ送風される。
【００５０】
誘引流の発生により、吹出しガイドグリル８の周囲に風が流れるため、意匠パネル１４の背面の吹出しガイドグリル８の周囲のカビの発生を抑制することができる。また、誘引流により浴室内への送風量が増加するため、暖房運転時の浴室床面温度分布が改善される。また、風量増加により、乾燥、風乾燥運転時の浴室内の乾燥ムラも改善される。また、意匠パネル１４は、天井との間に全周に亘る間隙３０を有しているので、天井面の空気の循環が良く、天井面の乾燥性が高い。
【００５１】
次に、循環風路２ａの下流の抵抗体（抵抗板）４０の近傍の空気の流れについて説明する。図７に示すように、循環送風機５から吹出された空気は、図中左側の矢印で示すように右方向に送風される。このとき、上層の空気は、回転ダンパー６に沿ってスムーズに風向きを変え、加熱部７へ向かう。下層の空気は、加熱部７の上面に添って流れるので、加熱部７における空気の流れは均一化されていない。
【００５２】
図８に示すように、抵抗体（抵抗板）４０を底板１７に配置すると、抵抗体（抵抗板）４０により風が一旦縮流し、下層の空気は、巻込まれて加熱部７へ向かい、図７に示す循環風路２ａの下流の流れと比較し、加熱部７を通る空気の流れが均一化されている。
【００５３】
図９は、抵抗体を設置しない場合と設置した場合の暖房運転時（モータＭ１として交流モータを使用した場合）の送風性能の差を示す図である。図９に示すように、抵抗体（抵抗板）４０を設置することにより、同一風量で回転数が減少し、騒音も減少しており、加熱部７を通る空気の流れが均一化されていることがわかる。
【００５４】
実施の形態２．
図１０は、本発明に係る浴室乾燥機の実施の形態２を示す循環風路の下流側の断面図である。図１０に示すように、実施の形態２の浴室乾燥機９２は、実施の形態１の抵抗板４０の代わりに、循環オリフィス（底板）の下流側に、抵抗体としての階段状凹凸部４０ａを形成している。このようにしても、図９に示す抵抗板４０による送風性能と同様の送風性能が得られる。
【００５５】
実施の形態３．
図１１は、本発明に係る浴室乾燥機の実施の形態３を示す断面図である。図１１に示すように、実施の形態３の浴室乾燥機９３は、図１に示す実施の形態１の浴室乾燥機９１の循環オリフィス（底板）１７を下流側で分割、分離して、循環オリフィス（底板）１７と循環ユニット９１Ａに着脱可能な加熱部ケース４１との２部品とし、加熱部ケース４１の上に抵抗板４０を設置している。
【００５６】
加熱部ケース４１は、循環風路２ａの下流側の風路を構成しており、この風路内に加熱部７が配置されている。加熱部ケース４１を、循環オリフィス（底板）１７とは別部品とすることにより、浴室乾燥機９３を、循環送風機５側及び回転ダンパー６と、加熱部７側とで、別々に組立て分解することが可能になり、浴室乾燥機９３の組立性、メンテナンス性が向上する。
【産業上の利用可能性】
【００５７】
以上のように、本発明にかかる浴室乾燥機は、浴室の換気、乾燥、暖房を行う、家庭用又は業務用の浴室乾燥機として有用である。
【符号の説明】
【００５８】
２ａ  循環風路
２ｂ  換気風路
４  循環吸込口
５  循環送風機
６  回転ダンパー
７  加熱部
８  循環吹出口（吹出しガイドグリル）
９  換気接続口
１４  意匠パネル
１５  制御部
１６Ａ  ハウジング
１７  循環オリフィス（底板）
２０  フィルター
２１  排気口
２２  排気ダクト接続部材（換気ユニット）
２３  ダンパー回転軸
２４  扇状歯車
２５  小歯車
３０  間隙
３１  誘引流開口
３３  隙間空間
４０  抵抗板（抵抗体）
４０ａ  階段状凹凸部（抵抗体）
４１  加熱部ケース
Ｍ１  モータ
９１、９２、９３  浴室乾燥機
９１Ａ  循環ユニット
【図１】
2012127664.tif 000003
【図２】
2012127664.tif 000004
【図３】
2012127664.tif 000005
【図４】
2012127664.tif 000006
【図５】
2012127664.tif 000007
【図６】
2012127664.tif 000008
【図７】
2012127664.tif 000009
【図８】
2012127664.tif 000010
【図９】
2012127664.tif 000011
【図１０】
2012127664.tif 000012
【図１１】
2012127664.tif 000013
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、
排気口が設けられた換気風路を有し、前記循環ユニットの換気接続口に接続された換気ユニットと、
を備える浴室乾燥機であって、
前記循環風路の前記加熱部の上流側底板に、前記循環風路を流れる風を一旦縮流させて下流側へ巻込ませ、前記加熱部方向に向ける、前記循環風路を横断する堰のような抵抗板を設けたことを特徴とする浴室乾燥機。
【請求項２】
前記抵抗体は、前記ダンパーが前記換気接続口を開けて前記循環風路の下流側を閉じたとき、前記ダンパーに覆われることを特徴とする請求項１に記載の浴室乾燥機。
【請求項３】
前記抵抗体は、前記底板上に設置され前記循環風路を横断する抵抗板であることを特徴とする請求項１に記載の浴室乾燥機。
【請求項４】
前記抵抗体は、前記底板に形成された階段状凹凸部であることを特徴とする請求項１に記載の浴室乾燥機。
【請求項５】
前記加熱部が配置された前記循環風路の下流側を、前記底板と分離されて前記循環ユニットに着脱可能な加熱部ケースにより構成したことを特徴とする請求項１に記載の浴室乾燥機。
【手続補正２】
【補正対象書類名】明細書
【補正対象項目名】０００９
【補正方法】変更
【補正の内容】
【０００９】
上述した課題を解決し、目的を達成するために、本発明は、ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、を備える浴室乾燥機であって、前記循環風路の前記加熱部の上流側底板に、前記循環風路を流れる風を一旦縮流させて下流側へ巻込ませ、前記加熱部方向に向ける、前記循環風路を横断する堰のような抵抗板を設けたことを特徴とする。
【手続補正３】
【補正対象書類名】明細書
【補正対象項目名】００３８
【補正方法】変更
【補正の内容】
【００３８】
その結果、浴室乾燥機９１が設置されている浴室の空気は、循環吸込口４を通って換気風路２ｂ内を流れ、排気口２１から外部へ排気され、浴室が換気される。このとき、抵抗体４０は回転ダンパー６に覆われ、空気は回転ダンパー６の上を流れるので、抵抗体（抵抗板）４０は、換気風路２ｂの空気の流れに影響を与えない。
【手続補正４】
【補正対象書類名】明細書
【補正対象項目名】００５１
【補正方法】変更
【補正の内容】
【００５１】
次に、循環風路２ａの下流の抵抗体（抵抗板）４０の近傍の空気の流れについて説明する。図７に示すように、循環送風機５から吹出された空気は、図中左側の矢印で示すように右方向に送風される。このとき、上層の空気は、回転ダンパー６に沿ってスムーズに風向きを変え、加熱部７へ向かう。下層の空気は、加熱部７の上面に沿って流れるので、加熱部７における空気の流れは均一化されていない。
【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、
排気口が設けられた換気風路を有し、前記循環ユニットの換気接続口に接続された換気ユニットと、
を備える浴室乾燥機であって、
前記循環風路の前記加熱部の上流側底板に、前記循環風路を流れる風を一旦縮流させて下流側へ巻込ませ、前記加熱部方向に向ける、前記循環風路を横断する堰のような抵抗体を設け、
前記抵抗体は、前記ダンパーが前記換気接続口を開けて前記循環風路の下流側を閉じたとき、前記ダンパーに覆われることを特徴とする浴室乾燥機。
【請求項２】
前記抵抗体は、前記底板上に設置され前記循環風路を横断する抵抗板であることを特徴とする請求項１に記載の浴室乾燥機。
【請求項３】
前記抵抗体は、前記底板に形成された階段状凹凸部であることを特徴とする請求項１に記載の浴室乾燥機。
【請求項４】
前記加熱部が配置された前記循環風路の下流側を、前記底板と分離されて前記循環ユニットに着脱可能な加熱部ケースにより構成したことを特徴とする請求項１に記載の浴室乾燥機。
【手続補正２】
【補正対象書類名】明細書
【補正対象項目名】０００９
【補正方法】変更
【補正の内容】
【０００９】
上述した課題を解決し、目的を達成するために、本発明は、ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、を備える浴室乾燥機であって、前記循環風路の前記加熱部の上流側底板に、前記循環風路を流れる風を一旦縮流させて下流側へ巻込ませ、前記加熱部方向に向ける、前記循環風路を横断する堰のような抵抗体を設け、前記抵抗体は、前記ダンパーが前記換気接続口を開けて前記循環風路の下流側を閉じたとき、前記ダンパーに覆われることを特徴とする。
【国際調査報告】
2012127664.tif 000014
2012127664.tif 000015
2012127664.tif 000016
2012127664.tif 000017